(57)【特許請求の範囲】
【請求項１】
（１）穀類あるいはそのカス、（２）海藻類、（３）成分（１）以外のブドウ糖、澱粉、砂糖、およびこれらを主成分として含む炭水化物から選ばれるもの、（４）塩基置換容量（ｍ．ｅ．／１００ｇ）が２０〜６００の粘土鉱物、ゼオライト、赤土から選択される少なくとも１つの有効土、および（５）水からなる混合物に（６）土麹を配合して発酵させて得られる発酵処理生成物を乾燥した生成物あるいはこの生成物に配合餌料を添加した混合物から成ることを特徴とする養魚用餌料。
【請求項２】
前記成分（１）穀類あるいはそのカスが米糠、小麦粉、大麦粉、コーン、大豆、大豆油カス、フスマから選ばれる少なくとも１つであることを特徴とする請求項１記載の養魚用餌料。
【請求項３】
（１）穀類あるいはそのカス                          １０〜３０重量％
（２）海藻類                                          ５〜２０重量％
（３）ブドウ糖、澱粉、砂糖から選ばれる炭水化物    ０．１〜１５重量％
（４）有効土                                          ５〜２５重量％
（５）水                                            ２７〜４７重量％
（６）土麹                                        ０．１〜１５重量％
を配合して発酵させて得られる発酵処理生成物を用いることを特徴とする請求項１あるいは請求項２記載の養魚用餌料。
【発明の詳細な説明】
【０００１】
【発明の属する技術分野】
本発明は養魚用餌料に関するものであり、さらに詳しくは鯛、鮃、フグ、ウナギ、鱒、鮭などの海水魚、淡水魚などの陸上養殖、沿岸養殖を含む養殖全般に利用することができる、魚病発生防止、生育促進、増肉係数アップなどが可能な餌料効率がよい養魚用餌料に関するものである。
【０００２】
【従来の技術】
近年、水産資源保護のため世界的に獲る漁業から育てる漁業へと変化し、鮃、ウナギ、鱒などの陸上養殖、ハマチ、ブリ、マグロ、鯛、鮭などの海面養殖が行われ、日本においても最初はブリ養殖を初めとし、現在はマグロが人工ふ化され養殖されるまでになっており、その養殖技術も向上している。
【０００３】
しかし、このような養殖においては、与えた配合餌料の残餌や魚の糞などが水底に沈むことにより水や水底の汚染が起こり、細菌性の病害が多発する問題がある。このため、クロラムフェニコール、テトラサイクリン、オキシテトラサイクリンなどの抗生物質の投与が行われるが、抗生物質に対する耐性がでてききめがなくなり魚病が発生し、生育が阻害されて歩留が悪くなり、魚の価格が上がるなどの問題が発生しており、早急に解決することが望まれている。
【０００４】
【発明が解決しようとする課題】
本発明の目的は、抗生物質などを投与しなくても魚病の発生が防止でき、消化効力が高く、生育が促進され、増肉が可能で、餌料効率がよく、早期出荷が可能で、しかも鯛などの色がよくなるなど色上げがよいなどの効果がある、養殖全般に利用できる安全性の高い養魚用餌料を提供することである。
【０００５】
【課題を解決するための手段】
本発明者等はかかる問題について鋭意研究し、その結果、例えば、入江で養殖されいる魚種についてみると海岸に近い所の方で養殖するのと、沖合に出て養殖するのとを比較すると、同じ魚種の魚で、同じ養殖技術で養殖すると、海岸に近い方の生簀で養殖されている魚の方が良い品質の魚が得られることを見いだし、この現象は、土の中に含まれたミネラル、有効微生物などが雨の日に雨水と一緒に流れ出して海岸近い生簀の魚に影響を及ぼしたものと考えられた。
また、トラフグ、鮃、コチ、オコゼ、その他の魚種は土の中に目だけを出して潜って生存している魚もおり、土の中に潜って目だけを出す行為は土の中にいる有効微生物やその微生物が産生する抗生物質などを利用する、えら虫などによる魚病を防ぐための自然の行為であって、土の中に潜ることによって、魚の身体の調子を整えているのではないかと考えられた。
本発明者等は、これらから魚の生育や魚病などと土との間には強い関連性があると考え、魚病の発生防止、生育促進などに有効な土麹を主体とし、微生物などを組み合わせた養魚用餌料を検討した結果、有用な養魚用餌料を見いだし、本発明を成すに到った。
【０００６】
すなわち、本発明の請求項１の発明は、（１）穀類あるいはそのカス、（２）海藻類、（３）成分（１）以外のブドウ糖、澱粉、砂糖、およびこれらを主成分として含む炭水化物から選ばれるもの、（４）塩基置換容量（ｍ．ｅ．／１００ｇ）が２０〜６００の粘土鉱物、ゼオライト、赤土から選択される少なくとも１つの有効土、および（５）水からなる混合物に（６）土麹を配合して発酵させて得られる発酵処理生成物を乾燥した生成物あるいはこの生成物に配合餌料を添加した混合物から成ることを特徴とする養魚用餌料である。
【０００７】
本発明の請求項２の発明は、請求項１記載の養魚用餌料において、前記成分（１）穀類あるいはそのカスが米糠、小麦粉、大麦粉、コーン、大豆、大豆油カス、フスマから選ばれる少なくとも１つであることを特徴とする。
【０００９】
本発明の請求項３の発明は、請求項１あるいは請求項２記載の養魚用餌料であって、
（１）穀類あるいはそのカス                          １０〜３０重量％
（２）海藻類                                          ５〜２０重量％
（３）成分（１）以外のブドウ糖、澱粉、砂糖から選ばれる炭水化物
０．１〜１５重量％
（４）塩基置換容量（ｍ．ｅ．／１００ｇ）が２０〜６００の粘土鉱物、ゼオライト、赤土から選択される少なくとも１つの有効土                                                      ５〜２５重量％
（５）水                                            ２７〜４７重量％
（６）土麹                                        ０．１〜１５重量％
を配合して発酵させて得られる発酵処理生成物を用いることを特徴とする。
【００１０】
【発明の実施の形態】
以下、本発明の養魚用餌料をさらに詳細に説明する。
本発明においては、（１）穀類あるいはそのカス、（２）海藻類、（３）ブドウ糖、澱粉、砂糖から選ばれる炭水化物、（４）有効土、および（５）水からなる混合物に（６）土麹を配合して発酵させて得られる発酵処理生成物を乾燥した生成物をそのまま養魚用餌料としてもよい。また、この生成物を配合餌料に添加した混合物を養魚用餌料としてもよい。
【００１１】
本発明で使用する前記成分（１）の穀類あるいはそのカスの具体例としては、例えば、米糠、小麦粉、大麦粉、コーン、大豆、大豆油カス、フスマなどを挙げることができ、これらは発酵の培地となるものであり、１種類使用しても、あるいは２種類以上混合したものを使用してもよい。
【００１２】
本発明で使用する前記成分（２）の海藻類は一般に海中にはえているソウ類であり、アオサ、アオノリ、シオグサなどの緑ソウ類、コンブ、ワカメ、ヒジキ、カジメ、ホンダワラなどのカッソウ類、アマノリ、トサカノリ、テングサ、オゴノリ、フノリ、ツノマタなどの紅ソウ類などを挙げることができ、これらは１種類使用しても、あるいは２種類以上混合したものを使用してもよい。
【００１３】
本発明で使用する前記成分（３）はブドウ糖、澱粉、砂糖、およびこれらを主成分として含む炭水化物から選ばれるものである。これらは発酵の培地となるものであり、１種類使用しても、あるいは２種類以上混合したものを使用してもよい。
【００１４】
本発明で使用する前記成分（４）の有効土とは、魚病の発生防止、生育促進などに有効な土である。
前記成分（４）の有効土の具体例としては、例えば、モンモリロナイトやバーミキュライトなどの粘土鉱物、ゼオライト（天然ゼオライト、合成ゼオライトいずれでもよい）、赤土などを挙げることができる。これらは１種類使用しても、あるいは２種類以上混合したものを使用してもよい。
これらの中でも、大なり小なりマイナス（−）に帯電しており、プラス（＋）に帯電している例えば加里、石灰、苦土等の塩基類又はアンモニア等のＮ、そのほか鉱石ミネラル類を吸着する性質があるものは好ましく使用できる。
【００１５】
本発明においては、前記成分（４）の有効土として、例えばカオリナイト［塩基置換容量（ｍ．ｅ．／１００ｇ）３〜１５］や川砂［塩基置換容量（ｍ．ｅ．／１００ｇ）０］は不適当であり、例えばモンモリロナイトやバーミキュライト［塩基置換容量（ｍ．ｅ．／１００ｇ）８０〜１５０］、ヒューマス（腐植、化土質）［塩基置換容量（ｍ．ｅ．／１００ｇ）６００］などは好適である。一般的に作物に対して良い土壌の塩基置換容量（ｍ．ｅ．／１００ｇ）は２０以上であり、悪い土壌の場合は５以下であることなども考慮して、前記成分（４）の有効土の塩基置換容量（ｍ．ｅ．／１００ｇ）は２０〜６００の範囲であることが好ましい。
【００１６】
なお、上記の作物に対して良い土壌とは、常に呼吸をして活動している健康な土壌のことであり、この健康な土壌中で動植物は自然に備わった生命力て自ら育って大きく成長し、悪い土壌であれば正反対になる。そして、このような健康な土の中には、１ｇ中に下記の糸状菌などの有用な微生物が凡そ１０００万〜数億存在しており、また、多くのミネラルや多種の抗生物質も含まれていることが知られている。
【００１７】
本発明で使用する前記成分（５）の水とは特別な水ではなく、例えば通常の水道水を使うことができる。
【００１８】
本発明で使用する前記成分（６）の土麹とは、下記のようにして作られた元種を、次いで、山土、米糠、デンプなどに添加して発酵させたものである。
元種を作るには先ず、果実酵素と澱粉酵素を作り、この果実酵素と澱粉酵素を通常は果実酵素１、澱粉酵素２の割合で混合したものを元種とするか、あるいはこの混合物をさらに米、麦、大豆などに加えて培養した後、塩、砂糖などを添加して発酵を抑えたものを元種とする。このような元種は有機農業、園芸用などとして市販されており、本発明においては市販の元種を使用することもできる。本発明において使用できる市販の元種の例としては、バイムフード（商品名、島本微生物研究所）がある。
【００１９】
果実酵素には主として酒精酵母、ビール酵母、ブドウ酒酵母、パン酵母などの酵母菌類が含まれており、その他に少量の馬鈴薯菌、納豆菌、乳酸菌などの細菌類と麹カビ、青カビ、赤カビ、白カビ、黒カビなどの糸状菌が含まれている。果実や樹木の新芽や特に樹皮には強力な果実酵素が含まれている。
そして、澱粉酵素には麹カビを主体とする糸状菌および馬鈴薯菌、納豆菌などの細菌類が含まれている。したがって、この元種中には、上記酵母菌類、および上記細菌類、および上記糸状菌などの好気性菌が多く含まれている。
【００２０】
果実酵素は、例えば、次のようにして作られる。リンゴ、ブドウ、イチゴ、小桃、イチジクなどの果実を３種類以上、ニンジン、大根、ほうれん草などの野菜を２種類以上用い、砂糖を混合して数日間〜１週間培養して、これらに付いている酵母菌類を主として繁殖させ、果実や野菜粕を除去して得られる。この果実酵素は栄養飲み物として美味しいものである。
澱粉酵素は、主として上記糸状菌と上記細菌を多く含むものであり、例えば次のようにして作られる。米糠、馬鈴薯クリーム、小麦粉、麦芽、糸引き納豆の所定量に水を加えて混合して、馬鈴薯菌、納豆菌、ミソ菌などの細菌類を培養し、この培養物を蒸し米と米麹に混合し、発酵を続けると澱粉酵素が得られる。
【００２１】
次に、この元種を使用して、本発明で使用する前記成分（６）の土麹を作る例を示す。
0003927667.tif 000002
山土と米糠は予め混合しておき、澱粉はノリ状にしたものを加えて水分４０〜４５％に調整し、１〜３日間おくと発酵してきて発酵熱により４０〜６０℃に達する。切り返して温度を低下させ、２４時間後再び発酵熱により４５〜６０℃に達し、上記酵母菌類や糸状菌のコロニーができる。発酵熱がでなくなってから、広く広げて直射日光をさけて風通しのよいところで数日間乾燥させて土麹が出来上がる。この土麹は紙袋などに入れて長期間保存可能である。
【００２２】
本発明で使用する配合餌料としては、一般に市販されている下記のような組成を有する配合餌料を用いることができる。
（従来の配合餌料）の例：
１袋の正味重量  ２０Ｋｇ
0003927667.tif 000003
（従来の配合餌料に約２〜３重量％添加される餌料添加物）の例：
ビタミンＡ、ビタミンＤ3 、ビタミンＥ、ビタミンＫ3 、ビタミンＢ1 、ビタミンＢ3 、ビタミンＢ6 、ビタミンＢ12、ニコチン酸、パントテン酸、コリン、葉酸、ビオチン、パラアミノ安息酸、イノシトール、ビタミンＣ、硫酸マンガン、硫酸鉄、硫酸コバルト、硫酸銅、ヨウ素酸カルシウム、硫酸マグネシウム、硫酸亜鉛、水酸化アルミニウム、リン酸−水素ナトリウム、リン酸−水素カリウム、フマル酸第一鉄、アスタキサンチン、エトキシキン、ガーリック末、肝臓粉末、コーングルテンミール、動物性油脂、小麦粉末など。
【００２３】
本発明においては、上記の作物などに良い土壌に鑑みて、先ず、成分（１）穀類あるいはそのカス、成分（２）海藻類、成分（３）ブドウ糖、澱粉、砂糖から選ばれる炭水化物、成分（４）有効土、および成分（５）水からなる混合物に、有用微生物のかたまりである成分（６）の土麹を配合して、発酵させて、上記酵母菌類、上記糸状菌、上記細菌を非常に多く含むとともに、多くのミネラルや多種の抗生物質が含まれている発酵処理生成物を作り、この発酵処理生成物を乾燥して、得られる生成物をそのまま養魚用餌料とするか、あるいは、この生成物を上記の配合餌料に添加したもを養魚用餌料とする。
【００２４】
成分（１）〜成分（６）を発酵させる際の各成分の配合割合は魚の種類、魚体の大きさ、重さなどにより異なるので特に限定されないが、下記の成分（１）〜成分（６）の配合割合は好ましく使用できる。
（１）穀類あるいはそのカス                          １０〜３０重量％
（２）海藻類                                          ５〜２０重量％
（３）ブドウ糖、澱粉、砂糖から選ばれる炭水化物    ０．１〜１５重量％
（４）有効土                                          ５〜２５重量％
（５）水                                            ２７〜４７重量％
（６）土麹                                        ０．１〜１５重量％
【００２５】
次に上記発酵の実施例を示す。例えば、２４時間から７２時間、４０℃から８０℃近い温度で発酵させると、発酵熱が生じるので、これを切り返し、再び積んで約１日、１回から２回の切返しを繰り返すと、盛んに甘い香りや、酒精臭の芳香を放しながら、土麹の表面に糸状菌や酵母酸のコロニーができる。さらに表面がパン状に固まり、段々と甘い香りや酒精臭からカビ臭い臭いに変化してくる。この発酵処理生成物中には、上記の酵母菌類、細菌類、糸状菌が１ｇ中に総数十億以上も存在している。
【００２６】
【実施例】
以下に実施例を示して本発明をさらに具体的に説明するが、本発明はこれらの実施例に限定されるものではない。
【００２７】
（実施例１）
下記の混合割合で成分（１）〜成分（５）の混合物を作り、この混合物に成分（６）の土麹を下記の混合割合で配合して、４８時間、６０℃で発酵させ、切り返しを行い、再び積んで約１日、１回から２回の切返しを繰り返して発酵させて発酵処理生成物を作った。
（１）新鮮な米糠                        １５ｋｇ    （２８．４重量％）
（２）天草                                ７ｋｇ    （１３．２重量％）
（３）澱粉                                ０．３ｋｇ（０．５７重量％）
（４）有効土（ゼオライトを含む粘土鉱物）１０ｋｇ    （１８．９重量％）
（５）水（水道水）                      ２０ｋｇ    （３７．９重量％）
（６）土麹                                ０．５ｋｇ（０．９５重量％）
【００２８】
そして上記発酵処理生成物を乾燥して、次の組成を有する生成物を得た。
（１）新鮮な米糠                          ４５．４重量％
（２）天草                                ２１．２重量％
（３）澱粉                                ０．９  重量％
（４）有効土（ゼオライトを含む粘土鉱物）  ３０．３重量％
（５）水                                  ０．６  重量％
（６）土麹                                １．５  重量％
【００２９】
本発明においては、錦鯉などの養殖の場合はこの生成物をそのまま養魚用餌料とすることができる。
実施例１においては上記生成物２ｋｇを上記配合餌料（市販品）２０ｋｇに添加したものを養魚用餌料［成分（４）有効土の混合割合約３重量％］として使用し、下記の投与方法▲１▼および投与方法▲２▼により投与して真鯛（育成当初魚体重７ｇ）の養殖を行った。なお比較のために下記の投与方法▲１▼および投与方法▲３▼により投与して同様にして真鯛（育成当初魚体重７ｇ）の養殖を行った。
【００３０】
（投与方法▲１▼）（生餌の投与）
図１に示したように、木を組み立てて作った生簀１（縦１３ｍ×横１３ｍ×深さ１２ｍ）をフロート２を用いて海面に浮かせ、生簀１の真中に生餌３（イワシ、サバ、サンマ、エビ、その他の小魚）を入れた網４を置き、養殖する真鯛５自身が網目の合間から引っ張り出して食べるようにした投与方法。
【００３１】
（投与方法▲２▼）（本発明の養魚用餌料の投与）
上記生餌に上記養魚用餌料を配合して攪拌機を用いて攪拌してミンチにして、成長する真鯛の口に合った大きさの粘質状の粒状固形物（モイストと呼ばれる）とし、それを生簀に投与する投与方法。
【００３２】
（投与方法▲３▼）（比較のための養魚用餌料の投与）
上記投与方法▲２▼において上記生成物を用いず、上記配合餌料（市販品）を用いた他は、同様にしてモイストとし、それを生簀に投与する投与方法。
【００３３】
（養殖方法）
（１）Ａ生簀、およびＢ生簀を用いて、各生簀に真鯛（育成当初体重７ｇ）を１０，０００匹の養殖を行った。
（２）Ａ生簀は投与方法▲１▼と投与方法▲２▼を組み合わせた投与方法を用い、Ｂ生簀は比較のために投与方法▲１▼と投与方法▲３▼を組み合わせた投与方法を用いた
（３）１日の餌料の投与量は、Ａ生簀、Ｂ生簀、同量とした。
（４）１日の餌料の投与時間は、Ａ生簀、Ｂ生簀、ほぼ同じ投与時間とした。
（５）養殖期間：約２年６ヶ月（平成５年６月１５日から平成７年１２月末日まで）
（６）Ａ生簀における実際の餌料の投与方法
夏期（平成５年６月１５日〜同９月３０日）の間は、毎日、投与方法▲１▼と投与方法▲２▼を交互に用いて投与した。
冬期（平成５年１０月１日〜平成６年６月３０日）の間は、１日置きに、投与方法▲１▼と投与方法▲２▼を交互に用いて投与した。
夏期（平成６年７月１日〜同９月３０日）の間は、１日置きに、投与方法▲１▼と投与方法▲２▼を併用して投与した。
冬期（平成６年１０月１日〜平成７年６月３０日）の間は、１日置きに、投与方法▲１▼と投与方法▲２▼を交互に用いて投与した。
夏期（平成７年７月１日〜同９月３０日）の間は、１日置きに、投与方法▲１▼と投与方法▲２▼を併用して投与した。
冬期（平成７年１０月１日〜同１２月末日）の間は、１日置きに、投与方法▲１▼と投与方法▲２▼を交互に用いて投与した。
（７）Ｂ生簀における実際の餌料の投与方法
夏期（平成５年６月１５日〜同９月３０日）の間は、毎日、投与方法▲１▼と投与方法▲３▼を交互に用いて投与した。
冬期（平成５年１０月１日〜平成６年６月３０日）の間は、１日置きに、投与方法▲１▼と投与方法▲３▼を交互に用いて投与した。
夏期（平成６年７月１日〜同９月３０日）の間は、１日置きに、投与方法▲１▼と投与方法▲３▼を併用して投与した。
冬期（平成６年１０月１日〜平成７年６月３０日）の間は、１日置きに、投与方法▲１▼と投与方法▲３▼を交互に用いて投与した。
夏期（平成７年７月１日〜同９月３０日）の間は、１日置きに、投与方法▲１▼と投与方法▲３▼を併用して投与した。
冬期（平成７年１０月１日〜同１２月末日）の間は、１日置きに、投与方法▲１▼と投与方法▲３▼を交互に用いて投与した。
【００３４】
養殖した真鯛を出荷した際に、Ａ生簀およびＢ生簀について、それぞれ、出荷量（匹数、ｋｇ）、最大魚重量（ｋｇ／匹）、最小魚重量（ｋｇ／匹）、平均重量（ｋｇ／匹）、養殖期間中に死亡した匹数（匹）、死亡率（％）を測定した。結果を表１に示す。
【００３５】
【表１】
0003927667.tif 000004
【００３６】
表１から判るように、本発明の養魚用餌料を使用したＡ生簀においては、本発明の養魚用餌料を使用しないＢ生簀に比較して、魚病の発生が防止できて死亡率が低い上、生育が促進され、約７％〜３０％の増肉［（Ａ生簀の平均体重−Ｂ生簀の平均体重）／（Ｂ生簀の平均体重）］アップがみられた。
しかも、本発明の養魚用餌料を使用したＡ生簀においては真鯛の色が赤みが強くなるなど色上げがよかった。
【００３７】
（実施例２）
陸上の水槽Ａ〜水槽Ｄ（いずれも８角型簡易水槽）を用いて、魚病などの発生率の高い高水温の夏期（平成８年６月１日〜平成８年９月３０日の４ヶ月間）において、水槽Ａ、水槽Ｂで真鯛（育成当初体重０．１ｋｇ）の養殖を行い、水槽Ｃ、水槽Ｄで鮃（育成当初体重５０ｇ）の養殖実験を行った。
図２は、使用した８角型簡易水槽の平面図であり、６は水槽本体、７は注水口、８は排水口、９は側溝を示す。水槽本体６の上部には図示しない飛び出し防止用ネットが装着されている。
【００３８】
（養殖方法）
（１）Ａ水槽およびＢ水槽では真鯛各１０００匹の養殖を行い、Ａ水槽では、毎日、投与方法▲３▼を用い、Ｂ水槽では毎日、投与方法▲２▼を用いて餌料を投与した。１日の餌料の投与量は、Ａ水槽、Ｂ水槽ともに、同量とした。１日の餌料の投与時間は、Ａ水槽、Ｂ水槽ともに、ほぼ同じ投与時間とした。
（２）Ｃ水槽およびＤ水槽では鮃各１０００匹の養殖を行い、Ｃ水槽では毎日、投与方法▲３▼を用い、Ｄ水槽では比較のために毎日、投与方法▲２▼を用いて餌料を投与した。１日の餌料の投与量は、Ｃ水槽、Ｄ水槽ともに、同量とした。１日の餌料の投与時間はＣ水槽、Ｄ水槽ともに、ほぼ同じ投与時間とした。
【００３９】
養殖した真鯛および鮃を約１か月毎に、平均重量（ｋｇ／匹）、死亡した匹数（匹）を測定し、死亡率（％）、増肉率（倍）（９月末平均体重／育成当初体重）を求めた。結果を表２に示す。
【００４０】
【表２】
0003927667.tif 000005
【００４１】
表２から、本発明の養魚用餌料を使用した場合は、本発明の養魚用餌料を使用しない場合に比較して、死亡率が低い上、生育が促進され、増肉率（倍）が高いことが判る。
【００４２】
以上、本発明の養魚用餌料を使用した実施例を示したが、本発明はこれに限定されず各種の変形実施態様を包含するものである。
【００４３】
【発明の効果】
本発明の養魚用餌料は養殖全般に利用できる安全性の高い養魚用餌料であり、抗生物質などを投与しなくても魚病の発生を防止でき、消化効力が高く、生育が促進され、増肉率がアップし、餌料効率がよく、しかも鯛などの魚の色がよくなるなど色上げがよいなどの効果がある。生育が促進され、稚魚から成魚になるまでの養魚期間が短縮されるので、早期出荷が可能となる。
また、従来は与えた配合餌料の残餌や魚の糞などが水底に沈むことにより水や水底の汚染が起こり、細菌性の病害が多発する問題があったが、投与した本発明の養魚用餌料の食い残りや生育した魚から排出されるフンなどが海水などに沈んだりしても、本発明で用いる土麹などの作用によりこれらがきれいに分解されるので魚病の発生を防止できる上、水や水底の汚染を防止でき公害にならない。
【図面の簡単な説明】
【図１】  生簀中で養殖する魚、生餌などの関係を示す説明図である。
【図２】  ８角型簡易水槽の平面図である。
【符号の説明】
１  生簀
２  フロート
３  生餌
４  網
５  真鯛
６  水槽本体
７  注水口
８  排水口
９  側溝
【図１】
0003927667.tif 000006
【図２】
0003927667.tif 000007